(57)【特許請求の範囲】
【請求項１】
固定接点を有する固定接触子と、
該固定接点と接離する可動接点を有する可動接触子と、
ハンドルのオンオフ操作により前記可動接触子を開閉駆動する開閉機構部とを備えた回路遮断器において、
前記可動接触子の後端に係止部を設け、
前記開閉機構部に、前記可動接触子の係止部と係止する係止部を有し、可動接触子がオフ位置からオン位置まで移動する途中で、該係止部が可動接触子の係止部と係合し、可動接点と固定接点との間に間隔があくように可動接触子を保持するラチェットを設け、さらにハンドルをオン位置に操作すると、ラチェットの係止部と可動接触子の係止部との係合が外れるようにするとともに、前記ラチェットに押圧部を設け、前記可動接触子を保持する可動接触子ホルダで押圧部を押すことで可動接触子の係止部とラチェットの係止部との係合を外すことを特徴とする回路遮断器。
【請求項２】
前記ラチェットにラチェットバネを設け、該ラチェットバネによりラチェットを可動接触子と係合する方向に付勢することを特徴とする請求項１に記載の回路遮断器。
【発明の詳細な説明】
【技術分野】
【０００１】
本発明は、配線用遮断器や漏電遮断器などの回路遮断器に関し、特に回路遮断器の開閉機構部に関する。
【背景技術】
【０００２】
従来の回路遮断器として、特許文献１に開示された構成が知られている。
この回路遮断器は、本体ケースから突出するハンドルと、固定接点を有する固定接触子と、固定接点と接離する可動接点を有する可動接触子と、この可動接触子を駆動する開閉機構部と、過電流を検出する過電流引外し装置と、固定接点と可動接点間に発生したアークを消弧する消弧装置とを備えている。
【０００３】
上記回路遮断器において、回路遮断器のオン状態では、可動接触子が閉極しており、可動接触子の可動接点と固定接触子の固定接点が接触している。
回路遮断器のオン状態からハンドルをオフ操作すると、開閉機構部を介して可動接触子が開極し、可動接点と固定接点が開離する。また、ハンドルをオン操作すると、開閉機構部を介して可動接触子が閉極し、可動接点と固定接点が接触する。
【０００４】
上記回路遮断器のオン状態において、主回路に過電流が流れると、過電流引外し装置が過電流を検出し、開閉機構部を介して可動接触子が固定接触子から開極する。また、可動接点と固定接点との間に発生したアークは、消弧装置により消弧される。
【先行技術文献】
【特許文献】
【０００５】
【特許文献１】特開２００１−３０７６１３号公報
【発明の概要】
【発明が解決しようとする課題】
【０００６】
ところで、従来の回路遮断器は、ハンドルをオフ位置からオン位置まで操作すると、ハンドル操作に連動して可動接触子がオフ位置からオン位置まで移動し、可動接点が固定接点に接触するように構成されている。そのため、例えば、接点の投入操作時にハンドルをオフ位置からオン位置に向けてゆっくりと投入操作した場合に、ハンドルのオン位置の寸前で可動接点と固定接点が接触と開離を繰り返し、接点が溶着してしまうというおそれがあった。
【０００７】
そこで、本発明の課題は、可動接点と固定接点との溶着を防止できるようにした回路遮断器を提供することにある。
【課題を解決するための手段】
【０００８】
上記課題を達成するために、本発明によれば、固定接点を有する固定接触子と、該固定接点と接離する可動接点を有する可動接触子と、ハンドルのオンオフ操作により前記可動接触子を開閉駆動する開閉機構部とを備えた回路遮断器において、前記可動接触子の後端に係止部を設け、前記開閉機構部に、前記可動接触子の係止部と係止する係止部を有し、可動接触子がオフ位置からオン位置まで移動する途中で、該係止部が可動接触子の係止部と係合し、可動接点と固定接点との間に間隔があくように可動接触子を保持するラチェットを設け、さらにハンドルをオン位置に操作すると、ラチェットの係止部と可動接触子の係止部との係合が外れるようにするとともに、前記ラチェットに押圧部を設け、前記可動接触子を保持する可動接触子ホルダで押圧部を押すことで可動接触子の係止部とラチェットの係止部との係合を外すようにする。
【００１０】
また、前記ラチェットにラチェットバネを設け、該ラチェットバネによりラチェットを可動接触子と係合する方向に付勢するようにしてもよい。
【発明の効果】
【００１１】
本発明によれば、開閉機構部にラチェットを設けたので、可動接点と固定接点の溶着を防止することができ、信頼性の高い回路遮断器を提供できる。
【図面の簡単な説明】
【００１２】
【図１】本発明の第１の実施形態を示す回路遮断器のオン状態を示す側面図
【図２】回路遮断器のオフ状態を示す側面図
【図３】本発明におけるラチェットの構成を示す斜視図
【図４】本発明の回路遮断器のオフ状態を示す開閉機構部の側面図
【図５】ラチェットと可動接触子が係合した状態を表す開閉機構部の側面図
【図６】ラチェットと可動接触子との係合が外れた状態を表す開閉機構部の側面図
【図７】本発明の回路遮断器のオン状態を示す開閉機構部の側面図
【発明を実施するための形態】
【００１３】
以下、本発明の実施の形態を図１〜図７に基づいて説明する。
図１は、本発明の第１の実施形態を示す回路遮断器のオン状態を示す側面図、図２は、回路遮断器のオフ状態を示す側面図、図３は、本発明におけるラチェットの構成を示す斜視図である。
【００１４】
図において、１はケースとカバーからなる左右２分割構造の樹脂製の本体ケース、２は本体ケース１から操作部２ａが外部に突出するハンドル、３は固定接点３aを有する固定接触子、４は一端に可動接点４ａを有する可動接触子、５は可動接触子４を保持する絶縁性の可動接触子ホルダ、８は図示しないフレーム間に配置されるラッチ６及びラッチ受け７から構成される開閉機構部であり、ラッチ受け７は、可動接触子ホルダ５と重なるように配置されている。また、可動接触子４の他端には、後述するラチェット２０の係止部２０ｃと係止する係止部４ｂが形成されている。
【００１５】
９はラッチ６とハンドル２とを連結するラッチピン、１０は一端がラッチ受け７の下端に連結され、他端がケース本体１に設けた溝内に摺動可能に保持された連結ピン、１１は一端が可動接触子４の他端側に係止されるとともに、他端がケース本体１に設けた係止部に係止された開閉スプリングである。
【００１６】
また、図４は本発明の回路遮断器のオフ状態を示す開閉機構部の拡大側面図である。
図４において、ラッチ６は、一端が軸６ａにより図示しないフレームに回動可能に軸支されており、他端がラッチピン９の一端に連結されている。ラッチ受け７は軸部１８により図示しないフレームに回動可能に軸支されており、ばね１９により、ラッチ６とラッチ受け７が係合する方向に付勢されている。可動接触子ホルダ５は、軸部１８により軸支されており、軸部１８を中心に回動する。
【００１７】
また、本実施形態では、開閉機構部８にラチェット２０とラチェットバネ２１を追加装備している。ラチェット２０は、図３に示すように、図示しないフレームに軸支される軸部２０ｂと本体部２０ａとからなり、本体部２０ａには係止部２０ｃと押圧部２０ｄが形成されている。ラチェットばね２１は、一端が本体ケースに係止されており、ラチェット２０を軸部２０ｂを中心に時計方向、すなわちラチェット２０の係止部２０ｃが可動接触子４の係止部４ｂに係止する方向に付勢している。
【００１８】
ラチェット２０に形成した係止部２０ｃは、可動接触子４がオフ状態からオン状態に移動する途中で、可動接触子４の係止部４ｂと係止して、可動接点３ａと固定接点４ａとの間に間隔があいた状態で、可動接触子４の動きを止めるものである。また、押圧部２０ｄは、可動接触子４がオフ状態からオン状態に移動する途中で、可動接触子４を保持する可動接触子ホルダ５により押圧されて、可動接触子４の係止部４ｂとラチェット２０の係止部２０ｃとの係合を引き外すものである。
【００１９】
このように、本実施形態では、開閉機構部８に、可動接触子４がオフ位置からオン位置まで移動する途中で、可動接触子４と係合し、可動接点３ａと固定接点４ａとの間に間隔があくように可動接触子４を保持するラチェット２０を設け、さらにハンドル２をオン位置に操作することで、ラチェット２０と可動接触子４との係合を外すように構成している。
【００２０】
図１に戻り、１２は複数のグリット板を備え、接点部に発生したアークを消弧する消弧装置、１３は消弧装置１２の下端側に配置されたアーク転流板、１４は負荷側の端子部、１５は電源側の端子部であり、負荷側の端子部１４は、アーク転流板１３の一端と電気的に接続されるとともに、可動接触子４に図示しないリード線を介して電気的に接続されている。
【００２１】
１６はアーク転流板１３の一端と負荷側の端子部１４との間に下端部が接続されたバイメタルであり、過電流が流れると、バイメタル１６の上端が図１の左側に撓み、連結ピン１０を介してラッチ受け７を左側に引っ張ることでラッチ受け７とラッチ６との係合を引き外して、可動接触子４を固定接触子３から開離させる。
【００２２】
また、１７は短絡電流などの過電流を検出する過電流検出装置であり、プランジャ１７ａとコイル１７ｂを備えている。コイル１７ｂの一端は固定接触子３に接続されており、コイル１７ｂの他端は電源側の端子部１５に接続されている。また、プランジャ１７ａは、短絡電流などの過電流を検出すると、ラッチ受け７側に突出し、ラッチ受け７の一端を押すことでラッチ受け７とラッチ６との係合を引き外し、可動接触子４を固定接触子３から開離させる。
【００２３】
次に本発明のラチェットの動作について図４〜図７を用いて説明する。
図４は、本発明の回路遮断器のオフ状態を示す開閉機構部の側面図、図５は、ラチェットと可動接触子が係合した状態を表す開閉機構部の側面図、図６は、ラチェットと可動接触子との係合が外れた状態を表す開閉機構部の側面図、図７は、本発明の回路遮断器のオン状態を示す開閉機構部の側面図である。
【００２４】
図４において、回路遮断器のオフ状態では、ラチェット２０は、ラチェットバネ２１の他端が本体ケースに係止されており、図４の位置に保持されている。また、可動接触子４は固定接触子３から開離しており、ラチェット２０の係止部２０ｃと可動接触子４の係止部４ｂとの係合は外れている。
【００２５】
次に、回路遮断器のオフ状態からハンドル２をオン操作すると、開閉機構部８を介して可動接触子ホルダ５及び可動接触子４が閉極する。ここで、図５に示すように、可動接触子４がオフ状態からオン状態に移動する途中で、可動接触子４がある程度回動すると、可動接触子４の係止部４ｂがラチェット２０の係止部２０ｃに係止されて、可動接触子４は図５の位置に保持される。そして、更に、ハンドル２をオン位置に操作すると、可動接触子４を保持する可動接触子ホルダ５が更に回転することで、可動接触子ホルダ５によりラチェット２０の押圧部２０ｄがばね２１に抗して押圧され、図６に示すように、可動接触子４の係止部４ｂとラチェット２０の係止部２０ｃとの係合が引き外される。
【００２６】
そして、ラチェット２０との係止が解かれた可動接触子４は、図７に示すように、固定接触子３側に駆動されて、可動接点４ａと固定接点３ａが接触する。この回路遮断器のオン状態では、ラチェット２０の押圧部２０ｄと可動接触子ホルダ５とは当接しており、ラチェット２０は、図７に示す位置に保持されている。
【００２７】
このように、本実施形態によれば、可動接触子がオフ状態からオン状態に移動する途中で、可動接触子をラチェットに係合させて、可動接触子を一旦、可動接点と固定接点との間に間隔があくように保持し、さらにハンドルをオン位置に操作することで、ラチェットと可動接触子との係合が外れるようにしたので、可動接触子は、ラチェットとの係合が解かれると固定接触子に対して、勢いよく接触するようになる。
【００２８】
したがって、接点の投入操作時にハンドルをオフ位置からオン位置に向けてゆっくりと投入操作した場合でも、ハンドルのオン位置の寸前で可動接点と固定接点が接触と開離を繰り返すことを防止できる。
【００２９】
なお、回路遮断器のオン状態からハンドル２をオフ操作すると、開閉機構部８を介して可動接触子４が開極するが、このときラチェット２０は、最初、可動接触子ホルダ５により押圧部２０ｄが押圧されているので、可動接触子４の係止部４ｂはラチェット２０の係止部２０ｃを乗り越えて、図４に示すオフ状態の位置まで移動する。
【００３０】
このように、ラチェット２０は、回路遮断器のオン状態からオフ状態では、可動接触子４の係止部４ｄと係合しないように構成されている。
また、上記回路遮断器のオン状態において、主回路に過電流が流れると、バイメタル１６の上端が図１の左側に撓み、連結ピン１０を介してラッチ受け７を左側に引っ張ることで開閉機構部８のラッチ受け７とラッチ６との係合を引き外して、可動接触子４を固定接触子３から開離させる。
【００３１】
さらに、主回路に短絡電流などの過電流が流れると、過電流引外し装置１７が過電流を検出し、プランジャ１７ａがラッチ受け７側に突出してラッチ受け７の一端を押すことで、開閉機構部８のラッチ６とラッチ受け７との係合を引き外して、可動接触子４を固定接触子３から開極させる。また、可動接点４ａと固定接点３ａとの間に発生したアークは、消弧装置１２により消弧される。
【符号の説明】
【００３２】
１      本体ケース
２      ハンドル
３      固定接触子
４      可動接触子
４ｂ    係止部
６      ラッチ
７      ラッチ受け
８      開閉機構部
２０    ラチェット
２０ｃ  係止部
２１    ラチェットバネ
【図１】
0006010983.tif 000002
【図２】
0006010983.tif 000003
【図３】
0006010983.tif 000004
【図４】
0006010983.tif 000005
【図５】
0006010983.tif 000006
【図６】
0006010983.tif 000007
【図７】
0006010983.tif 000008